(57)【要約】【課題】平積みされた建築用パネルの一端部を吊り上げて建て起こす際に他端部を良好に支持可能なパネル建起こし治具を提供する。【解決手段】パネル建起こし治具１は、第１建起こし部材４０と第２建起こし部材５０を備えている。第１建起こし部材４０は、積載ラック１において、パネル２の他端部よりも幅方向の外側位置に取り付けられるラック取り付け部４１と、第２建起こし部材５０と係合するための係合軸４４とを有している。第２建起こし部材５０は、パネル２の他端部に取り付けられるパネル取り付け部５１と、パネルの幅方向において第１建起こし部材４０に対し回転可能に係合する係合溝５４とを有している。パネル２を建て起こすときに、係合溝５４が、係合軸４４に対して所定位置まで回転した際に係合状態から離脱する。【選択図】図３
2020104965.tif 000002
【特許請求の範囲】
【請求項１】
積載ラックに対し平積みされた建築用のパネルの一端部を吊り上げて建て起こす際に用いられるパネル建起こし治具であって、
前記積載ラックに取り付けられる第１建起こし部材と、
前記パネルに取り付けられ、該パネルの幅方向において前記第１建起こし部材と係合し、該第１建起こし部材と係合した状態で回転可能な第２建起こし部材と、を備え、
前記第１建起こし部材は、前記積載ラックにおいて、平積みされた前記パネルの他端部よりも幅方向の外側位置に取り付けられるラック取り付け部と、該ラック取り付け部とは反対側の端部に設けられ、前記第２建起こし部材と係合するための係合軸及び係合溝の一方と、を有し、
前記第２建起こし部材は、前記パネルの他端部にある被取り付け部に取り付けられるパネル取り付け部と、該パネル取り付け部から前記パネルの他端部よりも幅方向の外側まで延びて、前記パネルの幅方向において前記第１建起こし部材に対し回転可能となるように係合する係合軸及び係合溝の他方と、を有し、
前記パネルを建て起こすときに、前記第２建起こし部材の前記係合軸及び係合溝の他方が、前記第１建起こし部材の前記係合軸及び前記係合溝の一方に対して所定位置まで回転した際に係合状態から離脱することを特徴とするパネル建起こし治具。
【請求項２】
前記パネル建起こし治具は、矩形状のパネルフレームの両面に矩形状の仕上げ面材が固定されてなる前記パネルの一端部を吊り上げて建て起こす際に用いられ、
前記パネル取り付け部は、前記パネルのうち、前記パネルフレームの他端面に設けられた前記被取り付け部に取り付けられることを特徴とする請求項１に記載のパネル建起こし治具。
【請求項３】
前記第１建起こし部材は、前記一方としての係合軸を有し、
前記第２建起こし部材は、前記他方としての係合溝を有し、
前記係合軸は、前記第１建起こし部材の延出端部から前記パネルの幅方向において前記パネルに向かって延びており、
前記係合溝は、前記第２建起こし部材の延出端部において下端から上端側へ向かって切り欠かれて形成されており、
前記係合軸及び前記係合溝は、前記パネルの幅方向の外側位置において互いに係合していることを特徴とする請求項１又は２に記載のパネル建起こし治具。
【請求項４】
前記係合溝は、平積みされた前記パネルの長尺方向において互いに対向する、該パネルの一端側に位置する第１内壁部と、前記パネルの他端側に位置する第２内壁部と、を有し、
該第２内壁部は、前記係合溝の開口が幅広となるように傾斜する傾斜部分を有していることを特徴とする請求項３に記載のパネル建起こし治具。
【請求項５】
前記第１建起こし部材は、前記ラック取り付け部から連続して前記パネルの長尺方向において該パネルの他端部に近づくように延びている第１延出部と、該第１延出部から連続して屈曲し、上下方向において前記パネルの他端部に近づくように延びている第２延出部と、を有し、
前記係合軸は、前記第２延出部の延出端部に設けられていることを特徴とする請求項３又は４に記載のパネル建起こし治具。
【請求項６】
前記第２建起こし部材は、前記パネル取り付け部から連続して前記パネルの幅方向の外側に延びている第１延出部と、該第１延出部から連続して屈曲し、前記パネルの長尺方向において該パネルの他端部の外側面に近づくように延びている第２延出部と、を有し、
前記係合溝は、前記第２延出部の延出端部に設けられていることを特徴とする請求項３乃至５のいずれか１項に記載のパネル建起こし治具。
【請求項７】
前記係合軸の先端部は、前記係合軸の本体部分よりも径方向に広がるように形成され、
前記係合軸のうち、該係合軸の本体部分が、前記係合溝に係合していることを特徴とする請求項３乃至６のいずれか１項に記載のパネル建起こし治具。
【請求項８】
請求項１乃至７のいずれか１項に記載のパネル建起こし治具を備えていることを特徴とするパネルの積載ラック。
【発明の詳細な説明】
【技術分野】
【０００１】
本発明は、パネル建起こし治具及びパネルの積載ラックに係り、特に、積載ラックに対し平積みされた建築用のパネルの一端部を吊り上げて建て起こす際に用いられるパネル建起こし治具及びパネルの積載ラックに関する。
【背景技術】
【０００２】
従来から、工場にて製造された幅や厚さの異なる建築用パネルを運搬等するために、建築用パネルを積載することが可能な積載ラックが知られている。
具体的には、外壁パネルや屋根パネルが、積載ラックに平積みされた状態でトラック等の運搬車両に積み込まれ、施工現場に運搬される。運搬された外壁パネル（屋根パネル）は、積載ラックに平積みされた状態から、建築現場に据え付けられたクレーン等によって、外壁パネルの組み付け時に上方部に相当する一端部を一枚ずつ吊り上げられ、建て起こすように持ち上げられ、建物の所定位置に取り付けられる。
このとき、上下に多段積みされた外壁パネルのうち、上段の外壁パネルの一端部を吊り上げて、当該外壁パネルを建て起こすように持ち上げるときに、施工業者が当該外壁パネルの他端部を支持しなくても、外壁パネル同士の接触による損傷、破損等を防止することが可能な技術が提案されている（例えば、特許文献１参照）。
【０００３】
特許文献１に記載のパネル建起こし治具によれば、パネル積載ラックのパネル受け部材に取り付けられる軸部と、外壁パネルの他端部を支持するパネル支持部とを備えており、当該パネル支持部が、パネル積載ラックに平積みされた外壁パネルの一端部を吊り上げて建て起こすときに外壁パネルの他端部を支持するように構成されている。
そのため、パネル積載ラックに積載された外壁パネルの一端部を吊り上げて建て起こすときに外壁パネルの他端部を良好に支持することができる。
【先行技術文献】
【特許文献】
【０００４】
【特許文献１】特開２０１４−１１４０８７号公報
【発明の概要】
【発明が解決しようとする課題】
【０００５】
ところで、特許文献１のようなパネル建起こし治具を用いた場合には、矩形状のパネルフレームの一方面に仕上げ面材が固定されてなる外壁パネルや屋根パネルであれば、当該パネルの一端部を吊り上げて良好に建て起こすことができるものの、矩形状のパネルフレームの両面に仕上げ面材が固定されてなる腰壁パネル等の場合には、当該パネルを建て起こしたときに下端側にある仕上げ面材が損傷、破損等してしまう虞があった。
【０００６】
また、工場から施工現場までの積載、運搬時においては、積載ラックに対し建築用パネルを固定させておく必要があるものの、特許文献１のようなパネル建起こし治具では、建築用パネルを固定させる治具としては使用することができなかった。
そのため、積載ラックに対し建築用パネルを固定させるための治具としても利用可能なパネル建起こし治具が求められていた。
【０００７】
本発明は、上記の課題に鑑みてなされたものであり、本発明の目的は、積載ラックに積載された種々の建築用パネル（特に腰壁パネル）の一端部を吊り上げて建て起こす際に他端部を良好に支持することができ、仕上げ面材の損傷、破損等を防止可能なパネル建起こし治具及びパネルの積載ラックを提供することにある。
また、本発明の他の目的は、積載ラックに対し建築用パネルを固定させるための固定治具としても利用可能なパネル建起こし治具及びパネルの積載ラックを提供することにある。
【課題を解決するための手段】
【０００８】
前記課題は、本発明のパネル建起こし治具によれば、積載ラックに対し平積みされた建築用のパネルの一端部を吊り上げて建て起こす際に用いられるパネル建起こし治具であって、前記積載ラックに取り付けられる第１建起こし部材と、前記パネルに取り付けられ、該パネルの幅方向において前記第１建起こし部材と係合し、該第１建起こし部材と係合した状態で回転可能な第２建起こし部材と、を備え、前記第１建起こし部材は、前記積載ラックにおいて、平積みされた前記パネルの他端部よりも幅方向の外側位置に取り付けられるラック取り付け部と、該ラック取り付け部とは反対側の端部に設けられ、前記第２建起こし部材と係合するための係合軸及び係合溝の一方と、を有し、前記第２建起こし部材は、前記パネルの他端部にある被取り付け部に取り付けられるパネル取り付け部と、該パネル取り付け部から前記パネルの他端部よりも幅方向の外側まで延びて、前記パネルの幅方向において前記第１建起こし部材に対し回転可能となるように係合する係合軸及び係合溝の他方と、を有し、前記パネルを建て起こすときに、前記第２建起こし部材の前記係合軸及び係合溝の他方が、前記第１建起こし部材の前記係合軸及び前記係合溝の一方に対して所定位置まで回転した際に係合状態から離脱すること、により解決される。
上記構成により、積載ラックに積載された種々の建築用パネルの一端部を吊り上げて建て起こす際に他端部を良好に支持することができ、仕上げ面材の損傷、破損等を防止可能なパネル建起こし治具を実現することができる。
具体的には、パネル他端部に被取り付け部（例えば、取り付け穴）が設けられた建築用パネルであれば、本発明のパネル建起こし治具を用いることができるため、外壁パネルや屋根パネル、腰壁パネル等種々の建築用パネルに利用することができる。
また、上記構成により、工場から施工現場までの積載、運搬時においては、積載ラックに対し建築用パネルを固定させるための固定治具としても利用可能なパネル建起こし治具となる。
【０００９】
このとき、前記パネル建起こし治具は、矩形状のパネルフレームの両面に矩形状の仕上げ面材が固定されてなる前記パネルの一端部を吊り上げて建て起こす際に用いられ、前記パネル取り付け部は、前記パネルのうち、前記パネルフレームの他端面に設けられた前記被取り付け部に取り付けられると良い。
上記構成により、矩形状のパネルフレームの両面に仕上げ面材が固定されてなる腰壁パネル等の場合であっても、当該パネルフレームの他端面にある被取り付け部に取り付け可能なパネル建起こし治具となっているため、良好にパネル建起こし作業を実施することができる。
【００１０】
このとき、前記第１建起こし部材は、前記一方としての係合軸を有し、前記第２建起こし部材は、前記他方としての係合溝を有し、前記係合軸は、前記第１建起こし部材の延出端部から前記パネルの幅方向において前記パネルに向かって延びており、前記係合溝は、前記第２建起こし部材の延出端部において下端から上端側へ向かって切り欠かれて形成されており、前記係合軸及び前記係合溝は、前記パネルの幅方向の外側位置において互いに係合していると良い。
上記構成により、係合軸及び係合溝の形状、配置が明確となって、シンプルな構成でパネル建起こし治具を実現できる。
【００１１】
このとき、前記係合溝は、平積みされた前記パネルの長尺方向において互いに対向する、該パネルの一端側に位置する第１内側壁部と、前記パネルの他端側に位置する第２内側壁部と、を有し、該第２内側壁部は、前記係合溝の開口が幅広となるように傾斜する傾斜部分を有していると良い。
上記のように係合溝が形成されているため、パネルを建て起こすときに、第２建起こし部材の係合溝が、第１建起こし部材の係合軸に対して所定位置まで回転した際に係合状態から離脱し易くなる。
【００１２】
このとき、前記第１建起こし部材は、前記ラック取り付け部から連続して前記パネルの長尺方向において該パネルの他端部に近づくように延びている第１延出部と、該第１延出部から連続して屈曲し、上下方向において前記パネルの他端部に近づくように延びている第２延出部と、を有し、前記係合軸は、前記第２延出部の延出端部に設けられていると良い。
上記構成により、第１建起こし部材の係合軸が、パネルの他端部により近い位置で第２建起こし部材の係合溝と係合することになるため、パネルの一端部を吊り上げて建て起こす際にパネルの他端部を一層良好に支持することが可能となる。
【００１３】
このとき、前記第２建起こし部材は、前記パネル取り付け部から連続して前記パネルの幅方向の外側に延びている第１延出部と、該第１延出部から連続して屈曲し、前記パネルの長尺方向において該パネルの他端部の外側面に近づくように延びている第２延出部と、を有し、前記係合溝は、前記第２延出部の延出端部に設けられていると良い。
上記構成により、第１建起こし部材の係合軸と、第２建起こし部材の係合溝とが、パネルの他端部の外側面に近接した位置でパネルの幅方向に沿って係合することになるため、パネルの一端部を吊り上げて建て起こす際にパネルの他端部を一層良好に支持することが可能となる。
【００１４】
このとき、前記係合軸の先端部は、前記係合軸の本体部分よりも径方向に広がるように形成され、前記係合軸のうち、該係合軸の本体部分が、前記係合溝に係合していると良い。
上記構成により、係合軸に対し係合溝が係合したときに、当該係合軸の軸方向において係合溝の抜けを抑制することができ、第１建起こし部材と第２建起こし部材の係合状態が一層良好となる。そのため、積載ラックの運搬時において、積載ラックに対し建築用パネルを良好に固定させることができる。
【００１５】
また前記課題は、本発明によれば、上記パネル建起こし治具を備えているパネルの積載ラックによっても実現することができる。
【発明の効果】
【００１６】
本発明のパネル建起こし治具及びパネルの積載ラックによれば、積載ラックに積載された種々の建築用パネルの一端部を吊り上げて建て起こす際に他端部を良好に支持することができ、仕上げ面材の損傷、破損等を防止することができる。
また、積載ラックに対し建築用パネルを固定させるための固定治具としても利用することができる。
【図面の簡単な説明】
【００１７】
【図１】本実施形態のパネルの積載ラックを示す斜視図であって、建築用のパネルが平積みされた状態を示す図である。
【図２】積載ラックのパネル受け部材を示す分解斜視図である。
【図３】図１の要部拡大図であって、パネル建起こし治具を示す斜視図である。
【図４Ａ】第１建起こし部材を示す斜視図である。
【図４Ｂ】別の角度から見た第１建起こし部材を示す斜視図である。
【図５Ａ】第２建起こし部材を示す斜視図である。
【図５Ｂ】別の角度から見た第２建起こし部材を示す斜視図である。
【図６Ａ】パネル建起こし治具の側面図であって、第１建起こし部材と第２建起こし部材が係合する係合位置を示し、建築用パネルが平積みされた状態を示す図である。
【図６Ｂ】第１建起こし部材に対し第２建起こし部材が係合状態から離脱する離脱位置を示し、建築用パネルが吊り上げられた状態を示す図である。
【図７Ａ】第１建起こし部材の別実施形態を示す斜視図である。
【図７Ｂ】別の角度から見た第１建起こし部材の別実施形態を示す斜視図である。
【図８】別のパネルに対し、図７の第１建起こし部材を用いたときの積載ラックを示す斜視図である。
【発明を実施するための形態】
【００１８】
以下、本発明に係る実施形態について図１〜図８を参照して説明する。
本実施形態は、積載ラックに対し平積みされた建築用のパネルの一端部を吊り上げて建て起こす際に用いられるパネル建起こし治具であって、積載ラックに取り付けられる第１建起こし部材と、パネルに取り付けられ、第１建起こし部材と係合した状態で回転可能な第２建起こし部材と、を備え、第１建起こし部材は、積載ラックにおいて、平積みされたパネルの他端部よりも幅方向の外側位置に取り付けられるラック取り付け部と、ラック取り付け部とは反対側の端部に設けられ、第２建起こし部材と係合するための係合軸とを有し、第２建起こし部材は、パネルの他端部に取り付けられるパネル取り付け部と、パネル取り付け部からパネルの他端部よりも幅方向の外側まで延びて、パネルの幅方向において第１建起こし部材に対し回転可能に係合する係合溝とを有しており、パネルを建て起こすときに、第２建起こし部材の係合溝が、第１建起こし部材の係合軸に対して所定位置まで回転した際に係合状態から離脱することを特徴とする発明に関するものである。
なお、以下の説明において「パネルの一端部」とは、パネルの組み付け時に上方部に相当し、「パネルの他端部」とは、パネル組み付け時に下方部に相当する部分である。
【００１９】
本実施形態の積載ラック１は、図１に示すように、建築用のパネル２を複数積載した状態で当該パネル２を運搬し、保管することが可能なラックであって、例えば、工場でパネル２を平積みした状態で保管したり、工場から施工現場までパネル２を平積みした状態でトラックで運搬したりするために用いられる。
また、積載ラック１は、パネル建起こし治具（第１建起こし部材４０及び第２建起こし部材５０）を備えており、運搬時においては積載ラック１に対しパネル２を固定させておくことができ、パネル建て起こし時においては、平積みされた当該パネル２の一端部を吊り上げる際に他端部を支持することができる。
【００２０】
パネル２は、図１、図３に示すように、建物を構成する矩形板状の部材であって、具体的には、腰壁パネルであって、矩形状のパネルフレーム２ａと、パネルフレーム２ａの両面に固定され、パネルフレーム２ａの外側端部よりもやや外側に張り出している矩形状の仕上げ面材２ｂと、から主に構成されている。
なお、パネル２は、腰壁パネルのような両面仕上げパネルに特に限定されることなく、外壁パネルや屋根パネルのような片面仕上げパネルであっても良く、各種の建築用パネルを採用することができる。
【００２１】
パネルフレーム２ａは、断面コ字形状の金属製の長尺部材を溶接等して矩形状に枠組みすることで形成され、枠組みされたパネルフレーム２ａで囲まれる空間には、グラスウールや発泡ウレタン等から構成される不図示の断熱材が充填されている。
パネルフレーム２ａの端面のうち、少なくとも長尺方向の一端面及び他端面には、パネル組み立て用の取り付け穴２ｃが所定の間隔を空けて形成されている。
詳しく述べると、パネルフレーム２ａの一端面にある不図示の取り付け穴には、パネル２を吊り上げる際に用いられる不図示のパネル用吊り具が取り付けられ、パネルフレーム２ａの他端面にある取り付け穴２ｃには、パネル建起こし治具（第２建起こし部材５０）が取り付けられることになる。
【００２２】
積載ラック１は、図１に示すように、一対の基台部材１０と、一対の基台部材１０上に立設され、一対の基台部材１０同士を連結するように延びて、パネル２を上面に載置するためのパネル受け部材２０と、基台部材１０の長尺方向に延びてパネル受け部材２０同士を連結する一対のつなぎ部材３０と、から主に構成されている。
また、積載ラック１は、図１、図３に示すように、パネル建起こし治具として、パネル受け部材２０に取り付けられる第１建起こし部材４０と、パネル２の他端部に取り付けられる第２建起こし部材５０と、をさらに備えている。
【００２３】
基台部材１０は、図１に示すように、積載ラック１の土台となる部材であって、金属材料の角パイプ等が加工された長尺体からなり、一対の基台部材１０が、当該基台部材１０の長尺方向と直交方向に所定の間隔をおいて配置されている。
基台部材１０の上面には、パネル受け部材２０の下端部をそのまま嵌め込むための嵌合穴１１が、基台部材１０の長手方向の両端部において一対に形成されている。
【００２４】
パネル受け部材２０は、図１−図３に示すように、パネル２を着脱可能に積載するための受け部材であって、金属材料の角パイプ等が加工された略Ｈ形状の長尺体からなり、基台部材１０の長尺方向に所定の間隔を空けて三本立設されている。
また、パネル受け部材２０は、パネル２を収容可能な間隔を空けながら上下方向に複数重ねて配置することができ、互いに着脱可能となるように構成されている。
【００２５】
パネル受け部材２０は、図２に示すように、断面ロ字形状からなる長尺なパネル受け部２１と、パネル受け部２１の長尺方向の両端部にそれぞれ接合され、パネル受け部２１に対して上下方向に延びる、断面ロ字形状の分割支柱部２２と、から主に構成されている。
なお、パネル受け部２１の上面には、平積みされたパネル２の損傷を抑制するために長尺な弾性体２３（弾性ゴム材）が取り付けられている。
【００２６】
分割支柱部２２は、パネル受け部材２０を上下方向に複数重ねたときに全体として積載ラック１の支柱となる部分であって、基台部材１０上に立設されている。
分割支柱部２２の上端部分には、上方に突出する断面コ字形状の嵌合凸部２２ａが内部に一部嵌め込まれた状態で接合されている。
分割支柱部２２の下端部には、パネル受け部材２０が上下方向に重ねられたときに、嵌合凸部２２ａが着脱可能となるように嵌合する嵌合穴２２ｂが形成されている。
また、分割支柱部２２の外側面には、つなぎ部材３０を取り付けるためのボルト穴２２ｃが形成されている。
【００２７】
つなぎ部材３０は、図１に示すように、基台部材１０の長尺方向に並ぶ複数のパネル受け部材２０（分割支柱部２２）を連結する部材であって、矩形板状の金属材等が加工された長尺体からなり、積載ラック１の剛性を付与する機能のほか、不図示の吊り上げ装置の吊り部材を係合させるための部材としても機能する。
つなぎ部材３０の外側面には、つなぎ部材３０の長尺方向に所定の間隔を空けてボルト穴３１が複数形成されている。これらボルト穴３１と、各々の分割支柱部２２のボルト穴２２ｃとが合わさった状態で両ネジボルト３２が締結されることで、つなぎ部材３０が各々の分割支柱部２２の外側面に対して固定される。このとき、つなぎ部材３０は、分割支柱部２２を間に挟み込むようにして取り付けられている。
なお、つなぎ部材３０の外側面において、ボルト穴３１よりも両端部側には、積載ラック１を吊り上げる際に用いられる吊り上げ穴３３が形成されている。ワイヤーロープ等の吊り部材を吊り上げ用穴に挿し込むことで、積載ラック１をクレーン等で吊り上げることができる。
【００２８】
本実施形態の積載ラック１は、基台部材１０上にパネル受け部材２０が立設された構成となっているが、特に限定されることなく、パネル２を積載可能な構成となっていれば変更可能である。例えば、積載ラック１が、公知な基台部材と、当該基台部材上に立設される複数の公知な支柱部材と、当該支柱部材に懸架するように配設される複数の公知な受け部材と、から構成されていても良い。
【００２９】
第１建起こし部材４０は、図１、図３、図４に示すように、パネル２の建起こしを支援する部材であって、略Ｌ字形状の板状部材からなり、積載ラック１のうち、パネル受け部材２０（パネル受け部２１）の長尺方向の両端部に一対となるように取り付けられている。そして、一対の第１建起こし部材４０がパネル２を間に挟むような配置となっている。
詳しく述べると、第１建起こし部材４０は、パネル受け部材２０の上面において、平積みされたパネル２の他端部よりも幅方向の外側位置に取り付けられるラック取り付け部４１と、ラック取り付け部４１から連続して、パネル２の長尺方向においてパネル２の他端部に近づくように延びている第１延出部４２と、第１延出部４２から連続して上方に屈曲し、パネル２の他端部に近づくように延びている第２延出部４３と、第２延出部４３の延出端部に設けられ、第２建起こし部材５０（係合溝５４）と係合するための一対の係合軸４４と、を有している。
【００３０】
ラック取り付け部４１は、図３、図４に示すように、断面略コ字形状からなり、パネル受け部材２０の長尺方向において第１延出部４２及び第２延出部４３よりも幅広となるように形成され、パネル受け部材２０を上方から挟み込むように設けられている。
詳しく述べると、ラック取り付け部４１は、パネル受け部２１の上面に当接する上壁部４１ａと、上壁部４１ａのうちパネル２の一端部側にある一端部から連続して下方に屈曲し、パネル受け部２１の一端面に当接するように延びている第１側壁部４１ｂと、上壁部４１ａの他端部から連続して下方に屈曲し、パネル受け部２１の他端面に当接するように延びている第２側壁部４１ｃと、を有している。
第１側壁部４１ｂと第２側壁部４１ｃは、パネルの長尺方向において互いに対向して配置されており、第１側壁部４１ｂの先端部分には、第２側壁部４１ｃ側とは反対側に傾斜しながら延びている傾斜部４１ｄが形成されている。
上記のように傾斜部４１ｄが形成されていることで、第１建起こし部材４０がパネル受け部２１に対して着脱し易くなっている。
第２側壁部４１ｃのうち、第１側壁部４１ｂ側とは反対側の他端面には、第１延出部４２が接続されている。
【００３１】
係合軸４４は、図３、図４に示すように、第２延出部４３の両側面から互いに反対側に向かって突出し、一対となるように形成されている。そして、パネル２側に配置された係合軸４４が、第２延出部４３からパネル２の幅方向においてパネル２に向かって延びている。
また、係合軸４４は、ラック取り付け部４１よりもパネル２側に近づくように突出して延びている。そのため、係合軸４４と係合溝５４が係合したときに、ラック取り付け部４１がパネル２の外側面に接触してしまうことを抑制することができる。
【００３２】
係合軸４４の先端部４４ａは、係合軸４４の本体部４４ｂよりも径方向に広がるように形成され、本体部４４ｂの直径よりも大きくなっている。このとき、係合軸４４の本体部４４ｂが、第２建起こし部材５０の係合溝５４と係合するように構成されている。
言い換えれば、係合軸４４の先端部４４ａが、係合溝５４と係合しないように係合溝５４の溝幅よりも大きく形成される一方で、本体部４４ｂが、係合溝５４と係合するように溝幅よりも若干小さく形成されている。
【００３３】
第２建起こし部材５０は、図３、図５に示すように、パネル２の建起こしを支援する部材であって、断面略Ｌ字形状の部材からなり、パネル２の他端部に取り付けられ、第１建起こし部材４０と係合し、第１建起こし部材４０と係合した状態で回転可能となるように配置されている。
詳しく述べると、第２建起こし部材５０は、パネル２の他端面にある取り付け穴２ｃに取り付けられるパネル取り付け部５１と、パネル取り付け部５１から連続してパネル２の幅方向の外側に延びている第１延出部５２と、第１延出部５２から連続して屈曲し、パネル２の長尺方向においてパネル２の他端部の外側面に近づくように延びている第２延出部５３と、を有し、第２延出部５３の延出端部に設けられ、第１建起こし部材４０の係合軸４４と係合するための係合溝５４と、を有している。
【００３４】
パネル取り付け部５１は、図３、図５に示すように、パネル２の他端面に当接するように設けられた壁部であって、パネル取り付け部５１の側面には、略円形状の取り付け穴５１ａが形成されている。
この取り付け穴５１ａと、パネル２の他端面にある取り付け穴２ｃとが合わさった状態で取り付けボルト５１ｂが締結されることで、第２建起こし部材５０がパネル２の他端面に対して固定される。このとき、第２建起こし部材５０は、パネル２に対して当該パネル２の両面にある仕上げ面材２ｂとは接触しないように取り付けられている。
【００３５】
第１延出部５２は、パネル２の他端面に沿って当該パネル２の幅方向の外側に向かって延びており、また、第２延出部５３は、パネル２の外側面に沿って当該パネル２の長尺方向の一端部に向かって延びている。
言い換えれば、第１延出部５２及び第２延出部５３は、パネル２の他端部の角部を覆うようにして当該角部の外面に沿って延びており、また、第１延出部５２及び第２延出部５３と、パネル２との間には若干の隙間が形成されるように構成されている。
なお、第２建起こし部材５０の剛性を確保すべく、第１延出部５２の内側面と、第２延出部５３の内側面とを連結する補強部（補強リブ）５５が形成されている。
【００３６】
係合溝５４は、図３、図５に示すように、第２延出部５３の延出端部において下端から上端側へ向かって切り欠き形成された略半楕円形状の溝である。
係合溝５４は、パネル２の幅方向の外側位置において係合軸４４に対し回転可能となるように係合し、パネル２を建て起こすときに、係合軸４４に対して所定位置まで回転した際に係合状態から離脱するように設けられている。
係合溝５４は、平積みされたパネル２の長尺方向において互いに対向する、パネル２の一端側に位置する第１内側壁部５４ａと、パネル２の他端側に位置する第２内側壁部５４ｂとを有している。そして、第２内側壁部５４ｂには、係合溝５４の開口が幅広となるように傾斜する傾斜部分５４ｃが形成されている。
上記のように傾斜部分５４ｃが形成されていることで、パネル建て起こし時に、第２建起こし部材５０が第１建起こし部材４０に対し係合状態から着脱し易くなっている。
【００３７】
＜積載ラックを用いたパネル建起こし方法＞
次に、積載ラック１を用いて、平積みされたパネル２の一端部を吊り上げて建て起こす方法について、図６Ａ、図６Ｂに基づいて説明する。
【００３８】
積載ラック１を用いたパネル建起こし方法では、図１に示すように、まず、一対の基台部材１０上に対し、上下方向にパネル２を収容可能な間隔を空けながらパネル受け部材２０を複数重ねて設置する作業工程から始まる。
本実施形態では、パネル受け部材２０を、基台部材１０の長尺方向に間隔を空けて三本、上下方向に四本重ねて、合計十二本となるように構成されている。
また、上下方向において同じ高さ位置にパネル受け部材２０をそれぞれ設置する毎に、当該設置直後のパネル受け部材２０上に一枚のパネル２を載置することとし、合計四枚のパネル２が積載される構成となっている。
なお、つなぎ部材３０の設置タイミングについては任意で構わない。
【００３９】
次に、第１建起こし部材４０、第２建起こし部材５０をそれぞれ積載ラック１、パネル２に取り付ける工程に進む。
詳しく述べると、図１、図３に示すように、まず、第１建起こし部材４０を積載ラック１のうち、パネル受け部２１の長尺方向の両端部に一対となるように取り付ける。
そして、第１建起こし部材４０に対し第２建起こし部材５０を係合させる。このとき、係合軸４４（本体部４４ｂ）に対し係合溝５４を係合させた状態にしておく。
そして、第１建起こし部材４０を第２建起こし部材５０と係合させた状態で、パネル２の他端部の外側面に近づけて、第２建起こし部材５０の取り付け穴５１ａと、パネル２の他端面にある取り付け穴２ｃとが合わさる位置まで移動させる。
そして、パネル２の他端面に対して第２建起こし部材５０をボルト固定する。
上記構成により、運搬時においては積載ラック１に対しパネル２を固定させておくことができる。
【００４０】
最後に、平積みされた最上位置のパネル２の長尺方向の一端部を吊り上げて、当該パネル２を建て起こす工程に進む。
詳しく述べると、まず、パネル２の一端部を吊り上げる前には、図６Ａに示すように、第１建起こし部材４０の係合軸４４に対し、第２建起こし部材５０の係合溝５４が係合する係合位置となっており、積載ラック１に対しパネル２が固定された状態となっている。
そして、最上位置のパネル２の一端部をクレーン等で吊り上げて、当該パネル２を建て起こしていくと、当該パネル２の建て起こし方向に回転する動作に連動して、第２建起こし部材５０の係合溝５４が、第１建起こし部材４０の係合軸４４を軸中心として係合軸４４に対して係合した状態で回転する。
そして、図６Ｂに示すように、当該パネル２を所定の回転位置まで建て起こすと、第２建起こし部材５０（係合溝５４）が、第１建起こし部材４０（係合軸４４）との係合状態から離脱する。
このとき、係合溝５４には傾斜部分５４ｃが形成されているため、パネル建て起こし時に、第２建起こし部材５０が第１建起こし部材４０に対し係合状態から着脱し易い構成となっている。
なお、図６Ｂに示す所定位置とは、パネル２を平積みした状態から約６０〜８０度建て起こした位置に相当する。
【００４１】
上記作業工程によって、積載ラック１に平積みされたパネル２の一端部を吊り上げて建て起こす際にパネル２の他端部を良好に支持することができ、仕上げ面材２ｂの損傷、破損等を防止することが可能なパネル建起こし治具となる。
【００４２】
＜パネル建起こし治具の第２実施形態＞
次に、パネル建起こし治具の第２実施形態について、図７、図８に基づいて説明する。
なお、上述した第１建起こし部材４０、第２建起こし部材５０と重複する内容については説明を省略する。
第２実施形態では、パネル１０２の一端部を吊り上げて建て起こす際に用いられるパネル建て起こし治具であって、第１建起こし部材の形状を変更し、第２建起こし部材を不要としている点が主に異なっている。
【００４３】
パネル１０２は、図８に示すように、パネルフレーム１０２ａと、パネルフレーム１０２ａの両面に固定される仕上げ面材１０２ｂと、から構成される腰壁パネルであって、パネルフレーム２ａの幅方向の外側面において、パネル組み立て用の取り付け穴１０２ｃが形成されたものとなっている。
そして当該取り付け穴１０２ｃには、第１建起こし部材１４０の係合軸１４４が取り付けられることになる。
【００４４】
第１建起こし部材１４０は、図７、図８に示すように、パネル受け部材２０の上面において、平積みされたパネル１０２の他端部よりも幅方向の外側位置に取り付けられるラック取り付け部１４１と、ラック取り付け部１４１から連続して上方に突出し、パネル１０２の他端部の外側面に近づくように延びている第１延出部１４２と、第１延出部１４２の延出端部に設けられ、パネル１０２の外側面の取り付け１０２ｃと係合するための係合軸１４４と、を有している。
ラック取り付け部１４１は、図７に示すように、パネル受け部材２０を上方から挟み込むように設けられ、上壁部１４１ａと、第１側壁部１４１ｂと、第２側壁部１４１ｃと、を有している。
ラック取り付け部１４１のうち、第２側壁部１４１ｃの壁面には、円形状の固定用ネジ穴１４１ｅが形成されており、パネル受け部材２０に向かって固定ボルトを締結することで、パネル受け部材２０に対し第１建起こし部材１４０を固定させることができる。
【００４５】
係合軸１４４は、第１延出部１４２の内側面からパネル１０２に向かって延びており、パネル１０２の幅方向においてパネル１０２の取り付け穴１０２ｃに係合する。
そして、パネル１０２を建て起こす際には、係合軸１４４が回転軸の中心となって、パネル１０２が回転しながら建て起こされることになる。
【００４６】
上記のように、パネル１０２が当該パネル１０２の幅方向の外側面において取り付け穴１０２ｃを有している場合には、当該第１建起こし部材１４０を用いて、パネル１０２の一端部を吊り上げて建て起こす際に他端部を良好に支持することができ、仕上げ面材の損傷、破損等を防止することができる。
なお、上記の場合には、第１建起こし部材１４０とパネル１０２の取り付け穴１０２ｃとの係合状態を離脱させるために、当該パネル１０２の建て起こし後に作業員が手動で当該離脱作業を支援する必要がある。
【００４７】
＜その他の実施形態＞
上記実施形態では、図３、図６に示すように、第１建起こし部材４０が係合軸４４を有し、第２建起こし部材５０が係合溝５４を有しているが、特に限定されることなく変更可能であって、逆に第１建起こし部材４０が係合溝を有し、第２建起こし部材５０が係合軸を有していても良い。
その場合には、第１建起こし部材４０の係合溝が、第１建起こし部材４０の延出端部において上端から下端側へ向かって切り欠かれて形成されていると良い。
【００４８】
上記実施形態では、図７、図８に示すように、パネル建起こし治具として第１建起こし部材１４０が単独で用いられているが、建築用のパネル２の形状、種類によっては、第１建起こし部材１４０と第２建起こし部材５０の組み合わせによって構成されていても良い。
【００４９】
上記実施形態では、主として本発明に係るパネル建起こし治具に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、第１建起こし部材、第２建起こし部材の形状、配置について、上記の実施形態にて説明したものは、あくまで一例に過ぎず本発明を限定するものではない。
【符号の説明】
【００５０】
１  積載ラック
２，１０２  パネル
２ａ，１０２ａ  パネルフレーム
２ｂ，１０２ｂ  仕上げ面材
２ｃ，１０２ｃ  取り付け穴（被取り付け部）
１０  基台部材
１１  嵌合穴
２０  パネル受け部材
２１  パネル受け部
２２  分割支柱部
２２ａ  嵌合凸部
２２ｂ  嵌合穴
２２ｃ  ボルト穴
２３  弾性体
３０  つなぎ部材
３１  ボルト穴
３２  両ネジボルト
３３  吊り上げ穴
４０，１４０  第１建起こし部材
４１，１４１  ラック取り付け部
４１ａ，１４１ａ  上壁部
４１ｂ，１４１ｂ  第１側壁部
４１ｃ，１４１ｃ  第２側壁部
４１ｄ  傾斜部
１４１ｅ  固定用ネジ穴
４２，１４２  第１延出部
４３  第２延出部
４４，１４４  係合軸
４４ａ，１４４ａ  先端部
４４ｂ，１４４ｂ  本体部
５０  第２建起こし部材
５１  パネル取り付け部
５１ａ  取り付け穴
５１ｂ  取り付けボルト
５２  第１延出部
５３  第２延出部
５４  係合溝
５４ａ  第１内側壁部
５４ｂ  第２内側壁部
５４ｃ  傾斜部分
５５  補強部
【図１】
2020104965.tif 000003
【図２】
2020104965.tif 000004
【図３】
2020104965.tif 000005
【図４Ａ】
2020104965.tif 000006
【図４Ｂ】
2020104965.tif 000007
【図５Ａ】
2020104965.tif 000008
【図５Ｂ】
2020104965.tif 000009
【図６Ａ】
2020104965.tif 000010
【図６Ｂ】
2020104965.tif 000011
【図７Ａ】
2020104965.tif 000012
【図７Ｂ】
2020104965.tif 000013
【図８】
2020104965.tif 000014